(57)【要約】【課題】  遊技機から外部出力されるセーフ信号に基いて、遊技機が特別遊技状態以外の優良状態にあることを判定することができる遊技状態判定装置を提供する。【解決手段】  特別遊技状態信号の入力がない場合、遊技機から賞球用として払い出される玉数に対応して出力されるセーフ信号に基いて遊技機の遊技状態を優良状態であると判定する優良状態判定手段と、優良状態判定手段が優良状態の判定に用いるセーフ信号に関するパラメータを可変に設定するパラメータ設定手段と設ける。【選択図】      図１
2005152140.tif 000002
【特許請求の範囲】
【請求項１】
遊技機が少なくとも通常状態、特別遊技状態、前記通常状態よりは前記賞球の払い出し頻度が多い優良状態の３つの遊技状態を有し、前記遊技機から前記特別遊技状態に対応して外部出力される特別遊技状態信号によって前記遊技機の遊技状態を前記特別遊技状態であると判定する遊技状態判定装置であって、前記特別遊技状態信号の入力がない場合、前記遊技機外から前記遊技機に対して賞球用として供される玉数に対応して出力されるか、又は、前記遊技機から賞球用として払い出される玉数に対応して出力されるセーフ信号に基いて前記遊技機の遊技状態を前記優良状態であると判定する優良状態判定手段と、前記優良状態判定手段が前記優良状態の判定に用いる前記セーフ信号に関するパラメータを可変に設定するパラメータ設定手段とを設けたことを特徴とする遊技状態判定装置。
【請求項２】
前記セーフ信号がある毎にセーフ信号の履歴をとる一方、前記遊技機外に排出される玉数に対応して出力されるアウト信号がある毎にアウト信号の履歴をとる遊技データ取得手段と、前記優良状態判定手段が前記遊技機の遊技状態を前記優良状態であると判定すると、優良状態期間中の前記アウト信号に関する情報及び前記セーフ信号に関する情報を管理装置に対して送信するデータ送信手段とを備えたことを特徴とする請求項１に記載の遊技状態判定装置。
【請求項３】
前記データ送信手段は、前記優良状態判定手段が前記遊技機の遊技状態を前記優良状態であると判定すると、前記優良状態が終了するまで待ち、該優良状態の期間が確定すると、当該優良状態の開始時点まで遡って優良状態期間中の前記アウト信号に関する情報及び前記セーフ信号に関する情報を管理装置に対して送信することを特徴とする請求項２に記載の遊技状態判定装置。
【請求項４】
前記優良状態判定手段は、前記遊技機の遊技状態を前記優良状態であると判定した時点で、報知手段により前記優良状態である旨を報知することを特徴とする請求項１乃至３のうちのいずれか１つに記載の遊技状態判定装置。
【発明の詳細な説明】
【技術分野】
【０００１】
本発明は、遊技機が少なくとも通常状態、特別遊技状態、通常状態よりは賞球の払い出し頻度が多い優良状態の３つの遊技状態を有し、遊技機から特別遊技状態に対応して外部出力される特別遊技状態信号によって遊技機の遊技状態を特別遊技状態であると判定する遊技状態判定装置に関する。
【背景技術】
【０００２】
従来の遊技機においては、遊技機から外部出力として大当り信号が出力されているので、ホールの管理装置でその遊技機が大当り状態（特別遊技状態）にあることを判定することができる。また、大当り状態時の払出数は機種が異なっても大差なく（概ね２０００個前後）、大当りと判断する払出数を機種間で一様に定めていても格別問題は生じていなかった。
【０００３】
しかし、将来的に、大当り状態以外に、遊技者に対して賞球払い出しによって直接的に利益を与える多種多様の状態（この明細書では優良状態ということにする）をもった機種がホールに登場することが予測される。なお、この明細書でいう「大当り状態」とは、所謂、第１種パチンコ遊技機における大当り状態や第２種パチンコ遊技機における大当り状態だけを指し示す狭義のものではなく、例えば、時短状態や高確率状態など遊技機から現在の遊技状態に対応する状態信号自体が外部出力されているものを指す。この理由は、現在の遊技状態に対応する状態信号自体が外部出力されている場合は、管理装置がこの状態信号により遊技機の遊技状態を特定することができ、その時の出玉数や出玉率を把握できるからである。優良状態をもつ遊技機において、その遊技機が優良状態にあることを判断するには、遊技機から外部出力される優良状態信号を利用することが効果的であるが、優良状態信号を出力しない遊技機も多種登場することが予測される。
【０００４】
上記遊技機が優良状態にあるか否かは、従来の大当り状態時のように機種が相違する場合や同一機種でも遊技状態の相違を無視して一様に判定をすることはできない。そのような多種多様の遊技機が混在するホールにおいて、個々の遊技機の優良状態を判定するには、遊技機外から遊技機に対して賞球用として供される玉数に対応して出力されるセーフ信号を利用することが考えられる。遊技機において遊技者に有利な優良状態は、必ず遊技媒体の払出数が増加することにある。また、多種多様の優良状態に対応するためには、機種毎にまたは同一機種でも状態毎に優良状態の判定の方法（判定条件）を設定できるようにしておく必要がある。
【発明の開示】
【発明が解決しようとする課題】
【０００５】
本発明の目的は、遊技機から外部出力されるセーフ信号に基いて、遊技機が特別遊技状態以外の優良状態にあることを判定することができる遊技状態判定装置を提供することにある。
【課題を解決するための手段】
【０００６】
請求項１に記載の遊技状態判定装置は、遊技機が少なくとも通常状態、特別遊技状態、前記通常状態よりは前記賞球の払い出し頻度が多い優良状態の３つの遊技状態を有し、前記遊技機から前記特別遊技状態に対応して外部出力される特別遊技状態信号によって前記遊技機の遊技状態を前記特別遊技状態であると判定するものであって、上記課題を解決するために、前記特別遊技状態信号の入力がない場合、前記遊技機外から前記遊技機に対して賞球用として供される玉数に対応して出力されるか、又は、前記遊技機から賞球用として払い出される玉数に対応して出力されるセーフ信号に基いて前記遊技機の遊技状態を前記優良状態であると判定する優良状態判定手段と、前記優良状態判定手段が前記優良状態の判定に用いる前記セーフ信号に関するパラメータを可変に設定するパラメータ設定手段と設けたことを特徴とする。
【０００７】
請求項２に記載の遊技状態判定装置は、請求項１に記載のものにおいて、前記セーフ信号がある毎にセーフ信号の履歴をとる一方、前記遊技機外に排出される玉数に対応して出力されるアウト信号がある毎にアウト信号の履歴をとる遊技データ取得手段と、前記優良状態判定手段が前記遊技機の遊技状態を前記優良状態であると判定すると、優良状態期間中の前記アウト信号に関する情報及び前記セーフ信号に関する情報を管理装置に対して送信するデータ送信手段とを備えたことを特徴とするものである。
【０００８】
請求項３に記載の遊技状態判定装置は、請求項２に記載のものにおいて、前記データ送信手段は、前記優良状態判定手段が前記遊技機の遊技状態を前記優良状態であると判定すると、前記優良状態が終了するまで待ち、該優良状態の期間が確定すると、当該優良状態の開始時点まで遡って優良状態期間中の前記アウト信号に関する情報及び前記セーフ信号に関する情報を管理装置に対して送信することを特徴とするものである。
【０００９】
請求項４に記載の遊技状態判定装置は、請求項１乃至３のうちのいずれか１つに記載のものにおいて、前記優良状態判定手段は、前記遊技機の遊技状態を前記優良状態であると判定した時点で、報知手段により前記優良状態である旨を報知することを特徴とするものである。前記報知手段は、例えば、遊技機に並設されている呼出ランプを用い、呼出ランプを点灯或いは点滅させることで、遊技者並びにホールの係員等に前記遊技機が優良状態となった旨を報知する。また、報知手段は、ランプ等の点灯或いは点滅と合わせて音声（効果音）の発生により報知する構成としてもよい。
【発明の効果】
【００１０】
請求項１に記載の構成によれば、特別遊技状態信号の入力がない場合、遊技機外から遊技機に対して賞球用として供される玉数に対応して出力されるか、又は、前記遊技機から賞球用として払い出される玉数に対応して出力されるセーフ信号に基いて遊技機の遊技状態を優良状態であると判定する優良状態判定手段を設けたので、遊技機が特別遊技状態以外の優良状態にあることを判定することができ、優良状態判定手段が優良状態の判定に用いるセーフ信号に関するパラメータを可変に設定するパラメータ設定手段を設けたので、多種多様な遊技仕様に合わせて優良状態の判定に用いるセーフ信号に関するパラメータを設定変更することで、多種多様な機種に対応して使用することができる。
【００１１】
請求項２に記載の構成によれば、セーフ信号がある毎にセーフ信号の履歴をとる一方、遊技機外に排出される玉数に対応して出力されるアウト信号がある毎にアウト信号の履歴をとる遊技データ取得手段と、優良状態判定手段が遊技機の遊技状態を優良状態であると判定すると、優良状態期間中のアウト信号に関する情報及びセーフ信号に関する情報を管理装置に対して送信するデータ送信手段とを備えているので、管理装置において、特別遊技状態以外の優良状態時の出玉率（アウト信号の履歴とセーフ信号の履歴により計算される）を把握することができる。
【００１２】
請求項３に記載の構成によれば、優良状態の期間が確定すると、当該優良状態の開始時点まで遡って優良状態期間中のアウト信号に関する情報及びセーフ信号に関する情報を管理装置に対して送信するので、管理装置において優良状態時の出玉率をより正確に把握することができる。
【００１３】
請求項４に記載の構成によれば、優良状態判定手段は、前記遊技機の遊技状態を前記優良状態であると判定した時点で、報知手段により優良状態である旨を報知するので、遊技者並びにホールの係員が遊技機が優良状態となったことを容易に認識することができる。
【発明を実施するための最良の形態】
【００１４】
以下、本発明の実施の形態を図面を参照して説明する。図１は、本発明の実施形態に係る遊技場管理装置の要部ブロック図である。遊技機１は、例えば、パチンコ遊技機であって、少なくとも通常状態、特別遊技状態、通常状態よりは賞球の払い出し頻度が多い優良状態の３つの遊技状態を有する。ここでいう「特別遊技状態」とは、所謂、第１種パチンコ遊技機における大当り状態、第２種パチンコ遊技機における大当り状態、第３種パチンコ遊技機における権利発生状態、図柄変動機能における変動時間の時短状態や図柄変動に関する当り外れの高確率状態など、遊技機が特別遊技状態中、当該遊技機からその特別遊技状態に対応する特別遊技状態信号が外部出力されているものを指す。
【００１５】
また、上記「優良状態」とは、該遊技機の遊技仕様上で通常状態よりは賞球の払い出し頻度が多く、特別遊技状態よりは賞球の払い出し頻度が少ない遊技状態を意味し、遊技機が優良状態中であっても、当該遊技機からその優良状態に対応する遊技状態信号が外部出力されない点で特別遊技状態と区別される。以上のように、通常状態と特別遊技状態と有料状態とは、互いに独立した関係にある。
【００１６】
その他、遊技機１が現金機と呼ばれるタイプのものでは、遊技機１に対して、遊技機外（例えば、島設備）から遊技機に対して賞球用として供される玉をカウントするセーフセンサ（図示せず）が設けられる。また、遊技機１がＣＲ機と呼ばれるタイプのものでは、遊技機１から賞球用として払い出される玉をカウントする賞球センサ（図示せず）が設けられる。また、遊技機１に打ち込まれた玉が遊技機外の回収樋に排出されるのであるが、遊技機外に排出される玉をカウントするアウトセンサ（図示せず）が設けられている。前記セーフセンサ並びに賞球センサは、いずれも玉が１０個カウントされる毎に１パルスのセーフ信号を出力する。また、アウトセンサは、排出される玉が１０個カウントされる毎に１パルスのアウト信号を出力する。
【００１７】
台ユニット２は、本実施形態における遊技状態判定装置を構成するものであって、具体的には、ＣＰＵ、ＲＯＭ、ＲＡＭ、通信インタフェース及びデータ記憶用の記憶装置を備えた台コンピュータである。なお、台コンピュータの具体的構成については図示を省略する。台ユニット２は、遊技機１と通信接続される。また、図１では、本発明の理解を容易とするために遊技機を１台しか図示していないが、複数（例えば、２台〜４台程度）の遊技機が台ユニット２に接続されてもよい。遊技機１からは、セーフ信号、アウト信号、特別遊技状態信号が外部出力され、台ユニット２はこれらの信号を受信し、記憶する。また、台ユニット２は、セーフ信号及びアウト信号の履歴をとると共に、管理装置３に対して通常状態期間のセーフ信号及びアウト信号に関する情報、特別遊技状態期間のセーフ信号及びアウト信号に関する情報、後に説明する優良状態期間のセーフ信号及びアウト信号に関する情報（履歴又は積算値、この実施形態では履歴）を送信する。また、台ユニット２は、管理装置３から送信される設定条件指令を受けると、管理装置３から送信された優良状態の判定に用いる設定条件を設定する。前記設定条件は、台ユニット２が優良状態の判定に用いるセーフ信号に関するパラメータを含む。また、台ユニット２には、報知手段としてのランプ４が接続される。該ランプ４は、例えば、遊技機１に並設されている呼出ランプを用いる。台ユニット２で遊技機１の状態が優良状態となったことが判定された時点で、呼出ランプを点灯或いは点滅させることで、ホールの係員等に遊技機１が優良状態となった旨をを報知する。
【００１８】
管理装置（ホールコンピュータ）３は、遊技場の管理室或いは事務所等に設置されている。管理装置３は、図示していないが、ＣＰＵ、ＲＯＭ、ＲＡＭ、通信インタフェース及びデータ記憶用の記憶装置を備えた制御部、ＣＲＴ或いは液晶パネル等からなる表示画面を有する表示装置、操作入力のためのキーボード装置及びマウスを備えている。台ユニット２は、自己が属する島の島ユニット（図示せず）及びＬＡＮ（図示せず）を介して管理装置３に通信接続されている。管理装置３は、台ユニット２から送信された通常状態期間のセーフ信号及びアウト信号の履歴、特別遊技状態期間のセーフ信号及びアウト信号の履歴、後に説明する優良状態期間のセーフ信号及びアウト信号の履歴に基いて、通常状態の出玉率、特別遊技状態の出玉率、優良状態の出玉率を算出する。また、管理装置３は、オペレータによる遊技機１の優良状態の判定に用いる設定条件の設定入力を行い、設定された設定条件の設定を台ユニット２に指令すると共に設定入力された設定条件を台ユニット２に送信する。なお、設定条件は、台ユニット２が優良状態の判定に用いるセーフ信号に関するパラメータの設定入力を含む。
【００１９】
図２は、管理装置３における遊技機１の優良状態の判定に用いる設定条件の設定入力を行うための条件設定画面を示す図である。条件設定画面には、設定条件入力を対象とする遊技機の台番号の入力と、遊技機１の優良状態の判定に用いる設定条件として、１〜４の４つの判定方式が選択可能となっている。即ち、具体的には、「１．Ａ時間（例えば、秒）以内にセーフ信号がＢ個以上」、「２．セーフ信号Ｄ個がアウト信号Ｃ個以内」、「３．前後のセーフ信号の間隔がＥ時間（秒）以内となるのが連続してＦ回以上」、「４．前後のセーフ信号の間隔がアウト信号Ｇ個以内となるのが連続してＨ回以上」の４つである。また、上述の「Ａ」〜「Ｈ」が、優良状態の判定に用いるセーフ信号に関するパラメータである。
【００２０】
オペレータは、マウス或いはキーボード装置により、設定条件入力を行う遊技機１の台番号を入力し、遊技機１の優良状態の判定に用いる設定条件として、４つのうちから１つを選択して入力する。管理装置３は、例えば、「１．Ａ時間（例えば、秒）以内にセーフ信号がＢ個以上」を選択した場合では、セーフ信号を監視する時間についてのパラメータ「Ａ」と、この間に検出されるセーフ信号の個数に関するパラメータ「Ｂ」との設定入力を可能とする。オペレータは、遊技機１の遊技仕様に合わせて優良状態の判定に用いるセーフ信号に関するパラメータ「Ａ」、「Ｂ」を決定し、キーボード装置等により設定入力する。パラメータの設定入力が行われると、管理装置３は、入力された台番号の遊技機に対応する台ユニット２に対して設定条件入力を指令する。そして、台ユニット２から指令した設定入力に対して応答があると、設定条件として設定条件「１」、パラメータ「Ａ」、「Ｂ」の入力設定値を送信する（設定条件データの送信）。そして、台ユニット２から送信した設定条件データに対して返信があると、当該台番号の遊技機に関する優良状態の判定に用いる設定条件入力を完了する。
【００２１】
次に、遊技機の優良状態について説明する。以下に遊技機１ａ，１ｂを例に説明する。遊技機１ａ，１ｂは大当り状態以外に以下のような優良状態をもつ。遊技機１ａの優良状態は、１回あたり可変入賞口（例えば、電動式のチューリップ）が開状態、閉状態の繰り返しを５回行うものとする。ここで、開状態、閉状態は各々５秒とする。遊技機１ｂの優良状態は、１回あたり可変入賞口（例えば、電動式のチューリップ）が４５秒間開状態になる。図３に、各々の遊技機の優良状態における可変入賞口の開閉状態を示している。これらは、可変入賞口が開状態になる部分をハイレベル部分で示している。また、矢印は、入賞口領域へ打ち出された遊技媒体（打込玉）を示している。打込玉１個入賞あたりの払い出しは５個とする。また、可変入賞口が開状態の場合の入賞確率はほぼ同一とする。セーフ信号は、払出個数が１０個となると、１パルス出力する構成とする。上記の遊技機１ａ、１ｂのように優良状態であっても、セーフ信号の出力態様（ここではセーフ信号の密集度合い）が異なるため、各々でセーフ信号を判定するための設定が必要となることが分かる。
【００２２】
次に、台ユニット２（以下、単に台ユニットという）が行う処理について説明する。図４は、台ユニットが実行する処理のメインルーチンを示すフローチャートである。台ユニットは、電源が投入されると初期化処理を行って、以下の処理に必要な各種フラグや記憶領域の初期設定を行う（ステップＳ００）。台ユニットは、初期化処理を終えると、ステップＳ０１の入力処理、ステップＳ０２の設定条件処理、ステップＳ０３の遊技履歴処理、ステップＳ０４の特別遊技状態の判別処理、ステップＳ０４で特別遊技状態でないと判別された場合にステップＳ０５の優良状態判定処理を行い、ステップＳ０６のその他処理を順次実行する一方、ステップＳ０４で特別遊技状態であると判別された場合には、ステップＳ０５の優良状態判定処理を行わず、直接ステップＳ０６のその他処理にジャンプし、ステップＳ０６のその他処理を終えると、再びステップＳ０１の入力処理に戻る。台ユニットは、ステップＳ０１〜ステップＳ０６に至る処理ルーチンを繰り返し実行する。なお、その他処理は、通常状態時のセーフ信号及びアウト信号の履歴の管理装置３への送信や、特別遊技状態時のセーフ信号及びアウト信号の履歴の管理装置３への送信を行うが、これら処理については、本発明の要旨に直接関わりがないので説明を省略する。
【００２３】
台ユニットは、ステップＳ０１の入力処理において、セーフ信号、アウト信号、特別遊技状態信号の入力を行う。入力処理を行うことで、セーフ信号、アウト信号、特別遊技状態信号の有無が（入力バッファに）記憶される。
【００２４】
台ユニットは、ステップＳ０２の設定条件処理において、管理装置３から設定条件入力の指令に応じて、管理装置３から送信される優良状態の判定に用いる設定条件を受信し、ステップＳ０４の優良状態判定処理で実行する優良状態判定処理プログラムの設定及び優良状態判定処理で実行するパラメータの設定を行う（この実施形態におけるパラメータ設定手段は、管理装置３の前記条件設定画面における設定条件及びパラメータの入力と、台ユニットが実行する設定条件処理とで構成されている。）。
【００２５】
図５は、台ユニットが実行する設定条件処理のサブルーチンを示すフローチャートである。台ユニットは、設定条件処理を開始すると、管理装置から設定条件入力指令が送信されてきているか否かを判別する（ステップＳ１０）。台ユニットは、設定条件入力指令がなければ、ステップＳ１０を偽と判別し、設定条件処理を抜ける。この場合には、実質的な設定条件処理は行われない。
【００２６】
台ユニットは、設定条件入力指令が送信されてきている場合、ステップＳ１０を真と判別し、管理装置に了解信号を送信し（ステップＳ１１）、管理装置から設定条件に関わる送信データ（この実施形態では、設定「１」〜設定「４」の何れかと、該設定条件に関わるパラメータ）が送られて来たか否かを判別し（ステップＳ１２）、管理装置から送信データが送信される来るまで待機する。
【００２７】
台ユニットは、管理装置から設定条件に関わる送信データが送られて来ると、送信データを受信し（ステップＳ１３）、受信した送信データの設定条件の内容に対応する優良状態判定処理プログラムを設定する（ステップＳ１４）。尚、台ユニットのＲＯＭ（図示せず）には、設定「１」〜設定「４」に各々対応する４つの優良状態判定処理プログラムが予め登録記憶されている。例えば、管理装置３から設定条件の内容として設定「１」が送信された場合は、台ユニットは設定条件「１」用の優良状態判定処理プログラムを選択設定する。これにより、後述の優良状態判定処理で、設定した優良状態判定処理プログラムが実行されることになる（上の説明の例では、設定条件「１」用の優良状態判定処理プログラム）。次いで、台ユニットは設定条件の内容に対応して送信されたパラメータを設定する（ステップＳ１５）。例えば、設定条件の内容が設定「１」の場合であれば、セーフ信号を監視する時間についてのパラメータ「Ａ」とセーフ信号の個数についてのパラメータ「Ｂ」とを設定する。台ユニットは、パラメータの設定を終えると、管理装置に対して完了信号を送信し（ステップＳ１６）、設定条件処理を抜ける。
【００２８】
台ユニットは、ステップＳ０３の遊技履歴処理において、セーフ信号の入力がある毎にセーフ信号の履歴を記憶し、アウト信号の入力がある毎にアウト信号の履歴を記憶する。セーフ信号の履歴データの内容は、セーフ信号が入力した順に付与される通し番号（セーフ信号カウンタｎの値、セーフ信号の入力がある毎に＋１されるカウンタで、初期値は０）と、その時の時刻（時分秒）が記憶される。また、アウト信号の履歴データの内容は、アウト信号が入力した順に付与される通し番号（アウト信号カウンタｍの値、アウト信号の入力がある毎に＋１されるカウンタで、初期値は０）と、その時の時刻（時分秒）が記憶される。
【００２９】
次に、台ユニットが行うステップＳ０４の特別遊技状態の判別処理について説明する。ステップＳ０１の入力処理にて、特別遊技状態信号を入力した場合には、特別遊技状態信号のありが（入力バッファに）記憶される。台ユニットは、特別遊技状態信号のありか否かを判別し、特別遊技状態信号のありの場合には、ステップＳ０５の優良状態判定処理を行わず、直接ステップＳ０６のその他処理にジャンプする。すなわち、遊技機１が特別遊技状態である場合には、優良状態判定処理は行われない。一方、特別遊技状態信号のなし場合には、ステップＳ０５に進み、優良状態判定処理を実行する。すなわち、遊技機１が特別遊技状態でない場合に優良状態判定処理を行う。
【００３０】
次に、台ユニットが行うステップＳ０５の優良状態判定処理について説明する。図６は、台ユニットが行う優良状態判定処理の第１実施形態のフローチャートであって、遊技機１の優良状態の判定に用いる設定条件を設定条件１、即ち、「１．Ａ時間（例えば、秒）以内にセーフ信号がＢ個以上」とした場合に実行される優良状態判定処理のサブルーチンを示している。
【００３１】
台ユニットは、優良状態判定処理を開始すると、監視時間内に検出されるセーフ信号の数をカウントするセーフ信号計数カウンタＣ１の値が「０」であるか否かを判別する（ステップＳ２１）。なお、セーフ信号計数カウンタＣ１の初期値は「０」である。セーフ信号計数カウンタＣ１の値が「０」である場合、台ユニットはステップＳ２２に進み、優良状態であるか否かを判別するための優良状態判別フラグＦ１を０クリアし（ステップＳ２２）、ステップＳ２３に進み、セーフ信号の入力があるか否かを判別する（ステップＳ２３）。台ユニットは、セーフ信号の入力がなければ、ステップＳ２３を偽と判別し、今回実行した優良状態判定処理を抜けてメインルーチンに戻る。したがって、次周期以降の処理では、セーフ信号計数カウンタＣ１の値が「０」である場合、台ユニットは、セーフ信号の入力があるまで、ステップＳ２１を真、ステップＳ２２、ステップＳ２３を偽と判別する処理ルーチンを繰り返す。
【００３２】
次に、セーフ信号の入力があると（ステップＳ０１の入力処理でセーフ信号に入力ありが記憶され、ステップＳ０３の遊技履歴処理でセーフ信号の履歴が記憶されている）、台ユニットはステップＳ２３を真と判別し、ステップＳ２４に進み、セーフ信号計数カウンタＣ１を＋１し（ステップＳ２４）、セーフ信号計数カウンタＣ１のカウント値がセーフ信号の個数についてのパラメータ「Ｂ」に達したか否かを判別する（ステップＳ２５）。セーフ信号計数カウンタＣ１のカウント値がパラメータ「Ｂ」に達していない場合、台ユニットはステップＳ２５を偽と判別し、今回実行した優良状態判定処理を抜けてメインルーチンに戻る。
【００３３】
ステップＳ２４の処理によって、セーフ信号計数カウンタＣ１の値が「０」でなくなった結果、次周期以降の処理では、台ユニットは、ステップＳ２１を偽と判別してステップＳ２３にジャンプする。したがって、台ユニットは、セーフ信号計数カウンタＣ１のカウント値がパラメータ「Ｂ」に達するまでの間は、セーフ信号の入力がある毎にステップＳ２１を偽、ステップＳ２３を真、ステップＳ２４、ステップＳ２５を偽と判別する処理ルーチンを実行する。よって、セーフ信号の入力がある毎にセーフ信号計数カウンタＣ１のカウント値が１つずつ更新アップする。
【００３４】
そして、セーフ信号計数カウンタＣ１のカウント値がパラメータ「Ｂ」に達すると、台ユニットはステップＳ２５を真と判別してステップＳ２６に進み、現在の時刻（今回セーフ信号の入力ありをカウントした時刻）と、（Ｃ１−１）個前のセーフ信号の入力を記憶した時刻との時間差を求め（ステップＳ２６）、求めた時間差が、セーフ信号を監視する時間についてのパラメータ「Ａ」以内となっているか否かを判別する（ステップＳ２７）。
【００３５】
図７は、セーフ信号の入力と監視時間についてのパラメータ「Ａ」とセーフ信号の個数についてのパラメータ「Ｂ」との関係を時間経過に従って表した図である。図７において、矢印はセーフ信号の入力を表し、ｎは、セーフ信号カウンタの値であって、セーフ信号の履歴におけるセーフ信号の通し番号を表す。ここで、一例として、セーフ信号の個数についてのパラメータ「Ｂ」を「６」であるとし、監視時間についてのパラメータ「Ａ」を図７のように定めてあるとすると、セーフ信号計数カウンタＣ１の値として「６」をカウントした時刻とセーフ信号計数カウンタＣ１の値として「１」をカウントした時刻との時間差は、監視時間についてのパラメータ「Ａ」以内となっている。なお、（Ｃ１−１）個前のセーフ信号の入力を記憶した時刻は、セーフ信号の履歴として記憶されている。図７に示す例では、セーフ信号計数カウンタＣ１の値として「６」をカウントした時刻は、セーフ信号カウンタのｎの値として「１５」をカウントした時刻であり、セーフ信号計数カウンタＣ１の値として「１」をカウントした時刻は、セーフ信号カウンタのｎの値として「１０」をカウントした時刻である。
【００３６】
台ユニットは、前記時間差が、セーフ信号を監視する時間についてのパラメータ「Ａ」以内となっている場合には、ステップＳ２８に進み、優良状態判別フラグＦ１に１（優良状態検出）をセットし（ステップＳ２８）、今回実行した優良状態判定処理を抜けてメインルーチンに戻る。なお、フローチャートに図示していないが、台ユニット２は、ステップＳ２８の処理に次いで、報知手段（ランプ４、例えば、呼出ランプ）に報知指令（点灯制御或いは点滅制御）を出力する処理を行い、ランプ４を点灯或いは点滅させることで、遊技者並びにホールの係員等に前記遊技機が優良状態となった旨を報知する。また、報知手段は、ランプ等の点灯或いは点滅と合わせて音声（効果音）の発生により報知する構成としてもよい。
【００３７】
次周期以降の処理では、台ユニットは、ステップＳ２１を偽と判別し、セーフ信号の入力があれば、ステップＳ２３を真、ステップＳ２４にて、セーフ信号計数カウンタＣ１の値を＋１する結果、今回セーフ信号の入力ありをカウントした時刻と、（Ｃ１−１）個前のセーフ信号の入力を記憶した時刻との時間差が、セーフ信号を監視する時間についてのパラメータ「Ａ」に達するまでの間は、ステップＳ２５を真、ステップＳ２６、ステップＳ２７を真、ステップＳ２８を実行する。
【００３８】
そして、セーフ信号の入力によりセーフ信号計数カウンタＣ１の値を＋１し、今回セーフ信号の入力ありをカウントした時刻と、（Ｃ１−１）個前のセーフ信号の入力を記憶した時刻との時間差が、セーフ信号を監視する時間についてのパラメータ「Ａ」以上になると、台ユニットはステップＳ２７を偽と判別し、ステップＳ２９に進み、優良状態判別フラグＦ１の値が１（優良状態検出）であるか否かを判別する（ステップＳ２９）。
【００３９】
なお、図７に示す例では、セーフ信号計数カウンタＣ１の値として「８」をカウントした時刻は、セーフ信号カウンタのｎの値として「１７」をカウントした時刻であり、セーフ信号計数カウンタＣ１の値として「１」をカウントした時刻は、セーフ信号カウンタのｎの値として「１０」をカウントした時刻である。そして、セーフ信号計数カウンタＣ１の値として「８」をカウントした時刻とセーフ信号計数カウンタＣ１の値として「１」をカウントした時刻との時間差は、監視時間についてのパラメータ「Ａ」を超えることになる。
【００４０】
優良状態判別処理において、最初のセーフ信号の入力ありのカウントを開始時点とし、パラメータ「Ｂ」で定められた個数「Ｂ」個目のセーフ信号の入力ありのカウントを終了時点とし、この期間（１個目のセーフ信号からＢ個目のセーフ信号までに要した期間）が、パラメータ「Ａ」で定められた優良状態と見做す期間以内であれば、優良状態検出として優良状態判別フラグＦ１に「１」がセットされる。一方、この期間が、パラメータ「Ａ」で定められた優良状態と見做す期間を超えてしまう場合には、優良状態とは判断されず優良状態判別フラグＦ１の値は初期値「０（優良状態検出なし）」のままとなっている。
【００４１】
台ユニットは、優良状態判別フラグＦ１の値が１（優良状態検出）でない場合、ステップＳ２９を偽と判別し、ステップＳ３３にジャンプしてセーフ信号計数カウンタＣ１の値を０クリアし（ステップＳ３３）、今回実行した優良状態判定処理を抜けてメインルーチンに戻る。なお、この場合、優良状態判別フラグＦ１の値は初期値「０」のままである。なお、次回以降の処理では、セーフ信号計数カウンタＣ１の値を０クリアされる結果、セーフ信号入力ありを契機として最初のセーフ信号の入力ありをカウントし、新たに優良状態の判別が開始される。
【００４２】
台ユニットは、優良状態判別フラグＦ１の値が１（優良状態検出）である場合、ステップＳ２９を真と判別し、ステップＳ３０に進む。この場合は、（Ｃ１−１）個前のセーフ信号の入力を記憶した時刻からＣ１個目のセーフ信号の入力を記憶した時刻までを優良状態と判定することになる。台ユニットは、（Ｃ１−１）個前のセーフ信号の入力を記憶した時刻からＣ１個目のセーフ信号の入力を記憶した時刻（処理上、現在時刻）までのセーフ信号の履歴データを優良状態時のセーフ信号の履歴データとして管理装置に送信し（ステップＳ３０）、（Ｃ１−１）個前のセーフ信号の入力を記憶した時刻からＣ１個目のセーフ信号の入力を記憶した時刻（処理上、現在時刻）までのアウト信号の履歴データを優良状態時のアウト信号の履歴データとして管理装置に送信し（ステップＳ３１）、優良状態判別フラグＦ１を０クリアし（ステップＳ３２）、セーフ信号計数カウンタＣ１の値を０クリアし（ステップＳ３３）、今回実行した優良状態判定処理を抜けてメインルーチンに戻る。なお、次回以降の処理では、セーフ信号計数カウンタＣ１の値を０クリアされる結果、セーフ信号入力ありを契機として最初のセーフ信号の入力ありをカウントし、新たに優良状態の判別が開始される。以上の説明から理解されるように、優良状態判定処理において、遊技機の遊技状態を優良状態であると判定すると（ステップＳ２７及びステップＳ２８）、優良状態が終了するまで待ち（ステップＳ２７を偽と判別するまで待ち）、該優良状態の期間が確定すると（ステップＳ２９を真と判別）、当該優良状態の開始時点まで遡って優良状態期間中のアウト信号の履歴及びセーフ信号の履歴を管理装置に対して送信する。これにより、優良状態となっている期間を正確に特定することができ、管理装置１において優良状態時の出玉率をより正確に把握することができる。
【００４３】
図８は、ステップＳ０３で記憶されたセーフ信号及びアウト信号の履歴データの一例である。図７と図８とを対応させると、先の説明で優良状態と判定された期間は、セーフ信号カウンタのｎの値として「１０」をカウントした時刻からセーフ信号カウンタのｎの値として「１７」をカウントした時刻までである。従って、優良状態時のセーフ信号の履歴として管理装置に送信される履歴データは、１１：２０：１５（１１時２０分１５秒の意味）〜１１：４２：３０（１１時４２分３０秒の意味）までのデータとなる。また、優良状態時のアウト信号の履歴データとして管理装置に送信される履歴データも、この期間に対応して１１：２０：１５（１１時２０分１５秒の意味）〜１１：４２：３０（１１時４２分３０秒の意味）までのデータとなる。
【００４４】
図９〜図１０は、台ユニットが行う優良状態判定処理の第２実施形態のフローチャートであって、遊技機１の優良状態の判定に用いる設定条件を設定条件３、即ち、「３．前後のセーフ信号の間隔がＥ時間（秒）以内となるのが連続してＦ回以上」とした場合に実行される優良状態判定処理のサブルーチンを示している。
【００４５】
台ユニットは、優良状態判定処理を開始すると、セーフ信号の入力があるか否かを判別する（ステップＳ４１）。台ユニットは、セーフ信号の入力がなければ、ステップＳ４１を偽と判別し、開始フラグが１（開始）であるか否かを判別する（ステップＳ４２）。なお、開始フラグの初期値は０（開始なし）であり、電源投入後最初にセーフ信号の入力ありに応じて「１（開始）」がセットされる。台ユニットは、開始フラグが１（開始）でなければ、ステップＳ４３に進み、連続回数カウンタＮを０クリアし（ステップＳ４３）、タイマＴを０クリアし（ステップＳ４４）、今回の優良状態判定処理を抜けてメインルーチンに戻る。ここで、連続回数カウンタＮは、セーフ信号の間隔が時間パラメータＥ以内となるのが何回連続したかをカウントするカウンタである。また、タイマＴは、セーフ信号の間隔を計時するタイマである。台ユニットは、初回のセーフ信号の入力があるまで、ステップＳ４１を偽、ステップＳ４２を偽、ステップＳ４３、ステップＳ４４の処理ループを繰り返す。
【００４６】
そして、初回のセーフ信号の入力があると、台ユニットはステップＳ４１を真と判別し、ステップＳ４５にて開始フラグが０（開始なし）である結果、ステップＳ４６に進み、開始フラグに「１（開始）」をセットし（ステップＳ４６）、今回の優良状態判定処理を抜けてメインルーチンに戻る。次周期以降の処理では、台ユニットは、開始フラグに「１（開始）」がセットされた結果、次のセーフ信号の入力があるまでの間、ステップＳ４１を偽、ステップＳ４２を真と判別し、ステップＳ４７にてタイマＴの値を更新アップすることで（ステップＳ４７）、セーフ信号の間隔の計時を行い、今回の優良状態判定処理を抜けてメインルーチンに戻る。
【００４７】
そして、セーフ信号の間隔の計時を開始してから、次のセーフ信号の入力があると、台ユニットは、ステップＳ４１を真、ステップＳ４５を真と判別し、ステップＳ４８に進み、タイマＴのタイマ値がセーフ信号の間隔についてのパラメータ「Ｅ」以下となっているか否かを判別する（ステップＳ４８）。ここで、タイマＴのタイマ値がセーフ信号の間隔についてのパラメータ「Ｅ」以下となっている場合、台ユニットはステップＳ４８を真と判別し、連続回数カウンタＮの値を＋１し（ステップＳ４９）、ステップＳ４４にてタイマＴを０クリアし（ステップＳ４４）、今回の優良状態判定処理を抜けてメインルーチンに戻る。そして、次周期以降、再び、次のセーフ信号の入力があるまでの間、ステップＳ４１を偽、ステップＳ４２を真と判別し、ステップＳ４７にてタイマＴの値を更新アップすることで（ステップＳ４７）、次のセーフ信号の間隔の計時を行う。
【００４８】
一方、タイマＴのタイマ値がセーフ信号の間隔についてのパラメータ「Ｅ」以下となっていない場合、台ユニットはステップＳ４８を偽と判別し、ステップＳ５０に進み、連続回数カウンタＮの値が、セーフ信号の間隔がＥ時間（秒）以内となる連続回数に関するパラメータ「Ｆ」回に達しているか否かを判別する（ステップＳ５０）。連続回数カウンタＮの値が、パラメータ「Ｆ」回に達していなければ、台ユニットは、ステップＳ５０を偽と判別し、即ち、遊技機１は優良状態ではないと判断し、ステップＳ４３にジャンプして、連続回数カウンタＮを０クリアし（ステップＳ４３）、タイマＴを０クリアし（ステップＳ４４）、今回の優良状態判定処理を抜けてメインルーチンに戻る。
【００４９】
一方、ステップＳ５０において、連続回数カウンタＮの値が、パラメータ「Ｆ」回に達している場合には、台ユニットは、ステップＳ５０を真と判別し、即ち、遊技機１は優良状態であると判断し、ステップＳ５１に進む。
【００５０】
図１１は、セーフ信号の入力と前後のセーフ信号の間隔についてのパラメータ「Ｅ」とセーフ信号の間隔が連続して「Ｅ」以下となる連続回数についてのパラメータ「Ｆ」との関係を時間経過に従って表した図である。図１１において、矢印はセーフ信号の入力を表する。ここで、一例として、セーフ信号の間隔が連続して「Ｅ」以下となる連続回数についてのパラメータ「Ｆ」を「５」回であるとし、セーフ信号の間隔についてのパラメータ「Ｅ」を図１０のように定めてあるとする。
【００５１】
図１１（ａ）に示す例の場合、セーフ信号カウンタのｎ（ステップＳ０３の遊技履歴処理参照）の値として「１０」をカウントした時刻と「１１」をカウントした時刻の間隔、「１１」をカウントした時刻と「１２」をカウントした時刻の間隔、「１２」をカウントした時刻と「１３」をカウントした時刻の間隔は、何れもパラメータ「Ｅ」以下で３回連続しているが、「１３」をカウントした時刻と「１４」をカウントした時刻の間隔は、パラメータ「Ｅ」を超えているため、セーフ信号カウンタのｎの値として「１４」をカウントした処理周期でのステップＳ４８で偽と判定され、ステップＳ５０にて連続回数カウンタＮの値（この例では「３」）が、パラメータＦ（この説明では「５」回）に達していないと判断され（ステップＳ５０を偽と判別）、遊技機１は優良状態ではないと判断される。
【００５２】
図１１（ｂ）に示す例の場合、セーフ信号カウンタのｎの値として「１０」をカウントした時刻からセーフ信号カウンタのｎの値として「１６」をカウントした時刻まで、セーフ信号カウンタのｎの値で表現すると「１０」と「１１」、「１１」と「１２」、「１２」と「１３」、「１３」と「１４」、「１４」と「１５」、「１５」と「１６」の各セーフ信号の間隔が連続して６回パラメータ「Ｅ」以下となっている。そして、「１６」をカウントした時刻と「１７」をカウントした時刻の間隔は、パラメータ「Ｅ」を超えているため、セーフ信号カウンタのｎの値として「１７」をカウントした処理周期でのステップＳ４８で偽と判定され、ステップＳ５０にて連続回数カウンタＮの値（この例では「６」）が、パラメータＦ（この説明では「５」回）に達していると判断され（ステップＳ５０を真と判別）、遊技機１は優良状態であると判断される。
【００５３】
ステップＳ５１に進むと、台ユニットは、ｎ−（Ｎ＋１）番目から（ｎ−１）番目までのセーフ信号の履歴を優良状態時のセーフ信号の履歴として管理装置に送信する（ステップＳ５１）。次いで、台ユニットは、ｎ−（Ｎ＋１）番目のセーフ信号の履歴から優良状態の開始時刻を特定し（ステップＳ５２）、（ｎ−１）番目のセーフ信号の履歴から優良状態の終了時刻を特定し（ステップＳ５３）、特定した開始時刻から終了時刻までのアウト信号の履歴を優良状態時のアウト信号の履歴として管理装置に送信する（ステップＳ５４）。台ユニットは、優良状態時のデータを管理装置に送信すると、ステップＳ４３にジャンプし、連続回数カウンタＮを０クリアし（ステップＳ４３）、タイマＴを０クリアし（ステップＳ４４）、今回の優良状態判定処理を抜けてメインルーチンに戻る。そして、次周期以降、再び、次のセーフ信号の入力があるまでの間、ステップＳ４１を偽、ステップＳ４２を真と判別し、ステップＳ４７にてタイマＴの値を更新アップすることで（ステップＳ４７）、次のセーフ信号の間隔の計時を行う。
【００５４】
図９のフローチャートでは、タイマＴのタイマ値がセーフ信号の間隔についてのパラメータ「Ｅ」以下となっていない場合、すなわち、少なくとも優良状態の終了条件は、タイマＴのタイマ値がセーフ信号の間隔についてのパラメータ「Ｅ」以下となっていないことが条件となるため、連続回数カウンタＮの値をパラメータＦと比較することで、現時点に至るまでの遊技状態が優良状態であるか否かを判定するようにしているが、図１１（ｂ）に示す例では、優良状態期間中、セーフ信号カウンタのｎの値として「１５」をカウントした時刻において、連続回数カウンタＮの値が５になることで、優良状態であることが判断できる。この時点で、ランプを点灯或いは点滅させることで優良状態となったことを報知するように構成する場合には、図１２に示すフローチャートのように構成すればよい。
【００５５】
図１２は、優良状態判定処理の第２実施形態における変形実施形態のフローチャートである。台ユニットは、図９のステップＳ４５を真と判別し、セーフ信号の間隔の計時を開始してから、次のセーフ信号の入力があると、ステップＳ４１を真、ステップＳ４５を真と判別し（以上は図９参照）、ステップＳ４８に進み、タイマＴのタイマ値がセーフ信号の間隔についてのパラメータ「Ｅ」以下となっているか否かを判別する（ステップＳ４８）。ここで、タイマＴのタイマ値がセーフ信号の間隔についてのパラメータ「Ｅ」以下となっている場合、台ユニットはステップＳ４８を真と判別し、連続回数カウンタＮの値を＋１し（ステップＳ４９）、ステップＳ６０に進む。
【００５６】
ステップＳ６０において、連続回数カウンタＮの値が、セーフ信号の間隔がＥ時間（秒）以内となる連続回数に関するパラメータ「Ｆ」回に達しているか否かを判別する（ステップＳ６０）。連続回数カウンタＮの値が、パラメータ「Ｆ」回に達していなければ、台ユニットは、ステップＳ６０を偽と判別し、即ち、遊技機１は、まだ優良状態ではないと判断し、ステップＳ４４にジャンプして、タイマＴを０クリアし（ステップＳ４４）、今回の優良状態判定処理を抜けてメインルーチンに戻る。なお、パラメータ「Ｆ」を「５」とした場合、図１１（ｂ）の例では、セーフ信号カウンタのｎの値として「１１」〜「１４」をカウントした各時刻における場合に相当する。
【００５７】
一方、ステップＳ６０において、連続回数カウンタＮの値が、パラメータ「Ｆ」回に達している場合には、台ユニットは、ステップＳ６０を真と判別し、即ち、遊技機１は優良状態であると判断し、ステップＳ６１に進む。台ユニットは、優良状態判別フラグＦ１に「１（優良状態検出）」をセットし（ステップＳ６１）、ランプ４を点灯或いは点滅させることで、遊技者並びにホールの係員等に前記遊技機が優良状態となった旨を報知し（ステップＳ６２）、ステップＳ４４にジャンプして、タイマＴを０クリアし（ステップＳ４４）、今回の優良状態判定処理を抜けてメインルーチンに戻る。なお、パラメータ「Ｆ」を「５」とした場合、図１１（ｂ）の例では、セーフ信号カウンタのｎの値として「１５」をカウントした時刻において、連続回数カウンタＮの値が５になることで、優良状態であることが判定され、ランプ４を点灯或いは点滅することで優良状態となった旨を報知できる。
【００５８】
一方、タイマＴのタイマ値がセーフ信号の間隔についてのパラメータ「Ｅ」以下となっていない場合、台ユニットはステップＳ４８を偽と判別し、ステップＳ６３に進み、優良状態判別フラグＦ１の値が１（優良状態検出）であるか否かを判別する（ステップＳ６３）。ここで、セーフ信号の間隔が連続してＦ回、Ｅ時間（秒）以内となっていれば、優良状態と判定されて優良状態判別フラグＦ１の値は１（優良状態検出）となっているが、そうでなれば、優良状態とは判断されず優良状態判別フラグＦ１の値は初期値「０（優良状態検出なし）」のままとなっている。台ユニットは、優良状態判別フラグＦ１の値が１（優良状態検出）でない場合、ステップＳ６３を偽と判別し、ステップＳ４３にジャンプして連続回数カウンタＮを０クリアし（ステップＳ４３）、タイマＴを０クリアし（ステップＳ４４）、今回の優良状態判定処理を抜けてメインルーチンに戻る。
【００５９】
一方、ステップＳ６３にて、優良状態判別フラグＦ１の値が１（優良状態検出）である場合、ステップＳ６３を真と判別し、優良状態判別フラグＦ１の値を０クリアし（ステップＳ６４）、ランプ４を消灯し（ステップＳ６５）、ステップＳ５１（図１０参照）にジャンプする。なお、ランプ４の消灯により、優良状態の終了が報知される。
【００６０】
図１１（ｂ）の例では、セーフ信号カウンタのｎの値として「１６」をカウントした時刻と「１７」をカウントした時刻の間隔は、パラメータ「Ｅ」を超えているため、セーフ信号カウンタのｎの値として「１７」をカウントした処理周期でのステップＳ４８で偽と判定され、これより１回前の処理にて、連続回数カウンタＮの値（この例では「６」）に応じてステップＳ６０が真と判定されることにより優良状態判別フラグＦ１の値が１（優良状態検出）にセットされている。従って、ステップＳ６３を真と判別することにより、優良状態の終了時と判断され、ステップＳ６４、ステップＳ６５が実行され、さらに、ステップＳ５１〜ステップＳ５４により、当該優良状態の開始時点まで遡って優良状態期間中のアウト信号の履歴及びセーフ信号の履歴を管理装置に対して送信する。これにより、優良状態となっている期間を正確に特定することができ、管理装置１において優良状態時の出玉率をより正確に把握することができる。
【００６１】
以上、設定条件が設定条件１の場合と設定条件３の場合について説明したが、設定条件が設定条件２の場合、即ち、「２．セーフ信号Ｄ個がアウト信号Ｃ個以内」の場合の優良状態判定処理については、フローチャートによる説明は省略し、概略で説明すると、初回のセーフ信号の入力を契機としてセーフ信号のカウントを行うと共に、アウト信号のカウントを行い、セーフ信号のカウント数がＤ個に達した時点で、アウト信号のカウント数がＣ個以下であれば、優良状態と判断するように構成すればよい。また、設定条件が設定条件４の場合、即ち、「４．前後のセーフ信号の間隔がアウト信号Ｇ個以内となるのが連続してＨ回以上」の場合の優良状態判定処理についても、フローチャートによる説明は省略し、概略で説明すると、初回のセーフ信号の入力を契機として次のセーフ信号の入力を監視すると共に、アウト信号のカウントを行い、次のセーフ信号の入力があった時点で、アウト信号のカウント数がＧ個以下であれば、連続回数カウンタを＋１する処理ルーチンを繰り返し行い、セーフ信号の入力があった時点での、アウト信号のカウント数がＧ個以下でなければ、連続回数カウンタのカウント値とパラメータＨとを比較し、連続回数カウンタのカウント値がＨ以上であれば、優良状態と判断するように構成すればよい。
【図面の簡単な説明】
【００６２】
【図１】本発明の実施形態に係る遊技場管理装置の要部ブロック図
【図２】管理装置における遊技機の優良状態の判定に用いる設定条件の設定入力を行うための条件設定画面を示す図
【図３】遊技機の優良状態を説明ための遊技機への打込玉とセーフ信号との関係を示す図
【図４】台ユニットが実行する処理のメインルーチンを示すフローチャート
【図５】台ユニットが実行する設定条件処理のサブルーチンを示すフローチャート
【図６】台ユニットが行う優良状態判定処理の第１実施形態のフローチャート
【図７】セーフ信号の入力と監視時間についてのパラメータ「Ａ」とセーフ信号の個数についてのパラメータ「Ｂ」との関係を時間経過に従って表した図（優良状態の判定条件が設定条件１の場合）
【図８】セーフ信号及びアウト信号の履歴データの一例を示す図
【図９】台ユニットが行う優良状態判定処理の第２実施形態の一部を示すフローチャート
【図１０】図９のフローチャートのつづき
【図１１】セーフ信号の入力と前後のセーフ信号の間隔についてのパラメータ「Ｅ」とセーフ信号の間隔が連続して「Ｅ」以下となる連続回数についてのパラメータ「Ｆ」との関係を時間経過に従って表した図（優良状態の判定条件が設定条件３の場合）
【図１２】優良状態判定処理の第２実施形態における変形実施形態のフローチャート
【符号の説明】
【００６３】
１  遊技機
２  台ユニット
３  管理装置
４  ランプ（報知手段）
【図１】
2005152140.tif 000003
【図２】
2005152140.tif 000004
【図３】
2005152140.tif 000005
【図４】
2005152140.tif 000006
【図５】
2005152140.tif 000007
【図６】
2005152140.tif 000008
【図７】
2005152140.tif 000009
【図８】
2005152140.tif 000010
【図９】
2005152140.tif 000011
【図１０】
2005152140.tif 000012
【図１１】
2005152140.tif 000013
【図１２】
2005152140.tif 000014